(57)【要約】      （修正有）【課題】被写体の構図の決定並びに水平線，垂直線の位置の確認を，的確に，迅速に，簡単に，かつ快適にできるよう。【解決手段】（１）ファインダーや液晶モニターの外枠の左右の同一位置に，同一格子線を設ける。（２）ファインダーや液晶モニターの外枠の上下の同一位置に，同一格子線を設ける。より正確な構図の決定を必要とする場合に備えて，直線で表示される内部格子線に代わり，縦横の線が交差するであろう部分に，「＋」印や「・」印を設けておき，必要に応じて表示する。撮影者は的確に，迅速に，容易に，かつ快適に構図の決定をすることが可能である。【選択図】なし【実用新案登録請求の範囲】
【請求項１】
カメラのファインダー，デジタルカメラ等の液晶モニターの外枠部分に，構図決定並びに水平，垂直方向位置確認のための外付け格子線を設けた光学機器（カメラ，デジタルカメラ，デジタルビデオカメラ，カメラ機能付携帯電話）
（１）カメラのファインダー，デジタルカメラ等の液晶モニターの外枠部分の左右の同一位置に，構図決定及び水平方向位置確認のための同一の外付け格子線を設ける。
（２）カメラのファインダー，デジタルカメラ等の液晶モニターの外枠部分の上下の同一位置に，構図決定及び垂直方向位置確認のための同一の外付け格子線を設ける。
以上の構成によるカメラ，デジタルカメラ，デジタルビデオカメラ，カメラ機能付携帯電話である。
ここで，外付け格子線とは，一般的な格子線が，ファインダーや液晶モニター内に設けてあり，必要に応じてグリッド表示されるのに対して，ファインダーや液晶モニターの外枠部分の左右，上下の同一位置に設けた同一格子線のことをいう。（以下同じ）
また，考案の名称「外付け格子線ファインダー・外付け格子線液晶モニターを設けた光学機器（カメラ，デジタルカメラ，デジタルビデオカメラ，カメラ機能付携帯電話）」を，以下，「外付け格子線を設けた光学機器」と略称する。
【請求項２】
既に発売されているファインダーや液晶モニター内にグリッド表示機能を持つカメラ等の光学機器についても，請求項１に記載の外付け格子線を設けることにより，ファインダーや液晶モニター内のグリッド表示は不要と思われる。
なお，より正確な構図の決定を必要とする場合に備えて，直線で表示される内部格子線に代わり，縦横の線が交差するであろう部分に，「＋」印や「・」印を設けておき，必要に応じて表示する。
この場合，外付け格子線の延長線上にある「＋」印又は「・」印が，外付け格子線と一体となり，内部格子線としての機能を保つとともに，ファインダーや液晶モニター内をすっきり見やすくさせ，撮影者は的確に，迅速に，容易に，かつ快適に構図の決定をすることが可能である。
【考案の詳細な説明】
【考案の詳細な説明】
【技術分野】
【０００１】  この考案は，カメラのファインダー，デジタルカメラ等の液晶モニターの外枠部分に，構図決定並びに水平，垂直方向位置確認のための外付け格子線を設けた光学機器に関するものである。
従来のカメラは，ボデーの接眼部に付いたファインダーを通して被写体を見る構造になっており，撮影者は，このファインダーを見ながら，短時間に，構図の決定及び左右，上下の水平，垂直位置の確認を行わなければならなかった。
しかし，ファインダーの視野（面積）が狭いことから，構図の決定とか左右，上下の水平，垂直位置の確認に時間がかかり，折角のシャッターチャンスを逃してしまうことが多かった。
また，液晶モニターを設けたデジタルカメラ等の光学機器の場合，撮影者は，ファインダーを通して被写体を見るより，液晶モニターを通して見るほうが，被写体が見やすいため，液晶モニターを利用して映像を撮る人が多い。
これらの液晶モニターは，画面が１．５〜２．５インチとかなり広く，モニター画面が広いほど，全体像が見やすいため，近年，より広くなる傾向にある。
しかし，液晶モニターの画面が広くなると，被写体の全体像は見やすくなるものの，構図の決定並びに画面の左右の水平位置（例えば海）及び上下の垂直位置（例えば柱）の確認がしにくくなる。
このため，ファインダーや液晶モニター内に格子線を設ける方法，方眼スクリーンを設ける方法等もみられるが，ファインダーや液晶モニター上の縦，横の格子線により画面が数ブロックに分割されてしまう。
このため，撮影者は，これらの格子線等にまどわされて，構図の決定がしにくかったり，格子線等にわざわいされ被写体が見づらくなる欠点がある。
このような欠点をなくし，構図の決定並びに水平線，垂直線の位置の確認を迅速に容易にできるようにするため，ファインダーや液晶モニターの外枠部分の同一位置に同一の外付け格子線を設けたのが本考案である。
外付け格子線の設置により，実際にはファインダーや液晶モニター上には格子線の表示がないにもかかわらず，撮影者は撮影に際し，ファインダーや液晶モニター上にあたかも格子線が表示されているような感覚で，外付け格子線を利用して，的確に，迅速に，容易に，かつ快適に撮影を行うことができる。
【背景技術】
【０００２】  従来，外付け格子線を設けたカメラ等の光学機器はなかった。
ファインダーや液晶モニター上に格子線を設ける方法，方眼スクリーンを設ける方法もあるが，撮影者は撮影に際し，これらの格子線等にまどわされて，構図の決定がしにくかったり，格子線等にわざわいされ被写体が見づらくなる欠点がある。
【考案が解決しょうとする課題】
【０００３】  これは，次のような欠点があった。
（１）カメラ等の光学機器の利用者は，撮影に際して，ファインダーや液晶モニター上の画面を見ながら，経験と勘により，構図の決定並びに水平及び垂直方向の位置の確認を行うが，構図の決定及び水平，垂直方向の位置確認に時間がかかり，折角のシャッターチャンスを逃すことが多い。
（２）撮影後の写真等の映像をみてみると，水平又は垂直方向の位置が曲がっていることが多い。
本考案は，このような課題を解決し，カメラ等の光学機器を，的確に，迅速に容易に，かつ快適に使用できるようにしたものである。
【課題を解決するための手段】
【０００４】  （１）撮影者が，撮影に際し，被写体の構図の決定並びに水平線の位置の確認を容易にできるようにするために，ファインダーや液晶モニターの外枠の左右の同一位置に，同一格子線を設ける。
（２）撮影者が，撮影に際し，被写体の構図の決定並びに垂直線の位置の確認を容易にできるようにするために，ファインダーや液晶モニターの外枠の上下の同一位置に，同一格子線を設ける。
本考案は，以上の構成よりなる，外付け格子線を設けた光学機器である。
【考案を実施するための最良の形態】
【０００５】  以下，考案の実施の形態について説明する。
（１）カメラ等の光学機器の利用者が，撮影に際して，被写体の構図の決定並びに水平線の位置の確認を容易にできるようにするために，ファインダーや液晶モニターの外枠の左右の同一位置に，同一格子線を設ける。
（２）カメラ等の光学機器の利用者が，撮影に際して，被写体の構図の決定並びに垂直線の位置の確認を容易にできるようにするために，ファインダーや液晶モニターの外枠の上下の同一位置に，同一格子線を設ける。
本考案は，以上のような構造で，外付け格子線を設けた光学機器の利用者は，撮影に際して，被写体の構図の決定のために外付け格子線を利用するとともに，海等の水平線を確保したいと思えば，ファインダーや液晶モニターの外枠の左右の同一位置に設けてある外付け格子線に被写体の水平線を合わせればよく，また，柱等の垂直線を確保したいと思えば，ファインダーや液晶モニターの外枠の上下の同一位置に設けてある外付け格子線に被写体の垂直線を合わせるようにすればよい。
これらの行動は，ファインダーや液晶モニターの外枠の左右，上下の同一位置に，同一の外付格子線が設けられていることにより，特別に操作しなくても，無意識に構図の決定並びに水平線，垂直線の確保が，的確に，迅速に，容易に，かつ快適に行われるものと思われる。
【考案の効果】
【０００６】  （１）カメラ等の光学機器を使用する人の立場からすると，撮影する際に，被写体の構図の決定並びに水平，垂直方向の位置の確認が，的確に，迅速に，容易に，かつ快適に行え，シャッターチャンスを逃さない。
（２）このような被写体の構図の決定並びに水平，垂直方向の位置確認のための外付け格子線を設けた光学機器の製造にあたっては，特別の設計変更，新たな大規模製造機械の導入等を必要としないため，新たな投資も不要と思われ，利用者にとって購入価格の高騰をきたすおそれもないと思われる。
（３）カメラ等の光学機器を製造，販売する側の立場からすると，被写体の構図の決定並びに水平，垂直方向の位置確認のための外付け格子線を設けた光学機器の製造にあたっては，特別の設計変更，新たな大規模な製造機械を導入することなく，製造過程で，カメラ等の光学機器の外枠部分に外付け格子線を設けるだけで済み，製造方法，製造期間，販売価格等への影響もほとんどないと思われる。
（４）既に発売されているファインダーや液晶モニター内にグリッド表示機能を持つカメラ等の光学機器についても，外付け格子線を設けることによりファインダーや液晶モニター内のグリッド表示は不要と思われる。
なお，より正確な構図の決定を必要とする場合に備えて，直線で表示される内部格子線に代わり，縦横の線が交差するであろう部分に，「＋」印や「・」印を表示することも考えられる。
この場合，外付け格子線の延長線上にある「＋」印又は「・」印が，外付け格子線と一体となり，内部格子線としての機能を保つとともに，ファインダーや液晶モニター内をすっきり見やすくさせ，撮影者は，的確に，迅速に，容易に，かつ快適に構図の決定をすることが可能である。
（５）外付け格子線の数は，理想とされる黄金分割の考えに基づき，ファインダーや液晶モニターの縦横を３分割する２本，あるいは，縦横を４分割する３本が考えられる。
0003103244.tif 000002
0003103244.tif 000003
0003103244.tif 000004
0003103244.tif 000005
0003103244.tif 000006
0003103244.tif 000007
【手続補正書】
【提出日】平成16年2月14日(2004.2.14)
【手続補正１】
【補正対象書類名】実用新案登録請求の範囲
【補正対象項目名】全文
【補正方法】変更
【補正の内容】
【実用新案登録請求の範囲】
【請求項１】
カメラ機能を有する光学機器のファインダ−，液晶モニタ−の外枠部分に，四辺形のファインダ−，液晶モニタ−の外周から外側方向に向かう線分（外付け格子線）を，ファインダ−，液晶モニタ−の中心線に対して，左右対称，上下対称に，それぞれ２対設けたカメラ機能を有する光学機器である。
【請求項２】
前記の線分（外付け格子線）は，印刷あるいは刻み込むことによって設けられていることを特徴とする請求項１のカメラ機能を有する光学機器である。
【手続補正２】
【補正対象書類名】明細書
【補正対象項目名】全文
【補正方法】変更
【補正の内容】
【考案の詳細な説明】
【技術分野】
【０００１】  この考案は，カメラ機能を有する光学機器のファインダ−，液晶モニタ−の外枠部分に，構図決定並びに水平，垂直方向位置確認のため，左右，上下対称の２対の線分（外付け格子線）を設けたカメラ機能を有する光学機器に関するものである。
【背景技術】
【０００２】  従来，カメラ機能を有する光学機器のファインダ−，液晶モニタ−の外枠部分に，線分（外付け格子線）を設けたカメラ機能を有する光学機器はなかった。
ファインダ−や液晶モニタ−上に格子線を設ける方法，方眼スクリ−ンを使用する方法はあった。
【考案が解決しようとする課題】
【０００３】  これは，次のような問題点があった。
（１）カメラ機能を有する光学機器の利用者は，撮影に際して，ファインダ−や液晶モニタ−上の画面を見ながら，経験と勘により，構図の決定並びに水平及び垂直方向の位置の確認を行うが，構図の決定及び水平，垂直方向の位置確認に時間がかかり，折角のシャッタ−チャンスを逃すことが多い。
（２）撮影後の写真等の映像をみてみると，水平又は垂直方向の位置が曲がっていることが多い。
本考案は，以上のような欠点をなくすためになされたものである。
【課題を解決するための手段】
【０００４】  撮影者が，撮影に際し，被写体の構図の決定並びに水平線の位置の確認を容易にできるようにするために，四辺形のファインダ−や液晶モニタ−の外周部から外側方向に向かう線分（外付け格子線）を，ファインダ−や液晶モニタ−の中心線に対し，左右及び上下対称に，それぞれ２対を印刷あるいは刻み込む。
本考案は，以上の構成よりなる，カメラ機能を有する光学機器を有する光学機器である。
【考案を実施するための最良の形態】
【０００５】以下，考案を実施するための最良の形態について説明する
（１）カメラ機能を有する光学機器の利用者が，撮影に際して，被写体の構図の決定並びに水平線，垂直線の位置の確認を容易にできるようにするために，四辺形のファインダ−や液晶モニタ−の外枠に，左右，上下対称の２対の線分（外付け格子線）を印刷するか，あるいは刻み込む。
（２）本考案は，以上のような構造であり，線分（外付け格子線）を設けたカメラ機能を有する光学機器の利用者は，撮影に際して，被写体の構図の決定のために線分（外付け格子線）を利用するとともに，例えば，海等の水平線を確保したいと思えば，ファインダ−や液晶モニタ−の外枠の左右の同一位置に設けてある線分（外付け格子線）に，被写体の水平線を合わせればよく，また，柱等の垂直線を確保したいと思えば，ファインダ−や液晶モニタ−の上下の同一位置に設けてある線分（外付け格子線）に，被写体の垂直線を合わせるようにすればよい。
これらの行動は，ファインダ−や液晶モニタ−の外枠の左右，上下の同一位置に同一の線分（外付け格子線）が設けられていることにより，特別に操作しなくても，無意識のうちに，構図の決定並びに水平線，垂直線の確保が，的確に，迅速に，容易に，かつ快適に行われるものと思われる。
【考案の効果】
【０００６】（１）カメラ機能を有する光学機器を使用する人の立場からすると，撮影する際に，被写体の構図の決定並びに水平，垂直方向の位置の確認が，的確に，迅速に，容易に，かつ快適に行え，シャッタ−チャンスを逃さない。
（２）このような被写体の構図の決定並びに水平，垂直方向の位置確認のための線分（外付け格子線）を設けた光学機器の製造にあたっては，特別の設計変更，新たな大規模製造機械の導入等を必要としないため，新たな投資も不要と思われ，利用者にとって購入価格の高騰をきたすおそれもないと思われる。
（３）カメラ機能を有する光学機器を製造，販売する側の立場からすると，被写体の構図の決定並びに水平，垂直方向の位置確認のための線分（外付け格子線）を設けた光学機器の製造にあたっては，特別の設計変更，新たな大規模な製造機械を導入することなく，製造過程で，外枠部分に線分（外付け格子線）を設けるだけで済み，製造方法，製造期間，販売価格等への影響もほとんどないと思われる。
（４）既に発売されているファインダ−や液晶モニタ−内にグリッド表示機能を持つ光学機器についても，線分（外付け格子線）を設けることにより，ファインダ−や液晶モニタ−内のグリッド表示は不要と思われる。
なお，より正確な構図の決定を必要とする場合に備えて，直線で表示される内部格子線に代わり，縦横の線が交差するであろう部分に，「＋」印や「・」印を表示することも考えられる。
この場合，線分（外付け格子線）の延長線上にある「＋」印又は「・」印が，線分（外付け格子線）と一体となり，内部格子線としての機能を保つとともに，ファインダ−や液晶モニタ−内をすっきり見やすくさせ，撮影者は，的確に，迅速に，容易に，かつ快適に構図の決定をすることが可能である。
（５）線分（外付け格子線）の数は，理想とされる黄金分割の考えに基づき，ファインダ−や液晶モニタ−の縦横を３分割する２本，あるいは，縦横を４分割する３本が考えられる。
【図面の簡単な説明】
【０００７】
【図１】    本考案のカメラのファインダ−の正面図である。
【図２】    本考案の液晶モニタ−付き光学機器の正面図である。
【符号の説明】
【０００８】  １  ファインダ−
２  液晶モニタ−
３  構図の決定並びに水平方向位置確認のための線分（外付け格子線）
４  構図の決定並びに垂直方向位置確認のための線分（外付け格子線）
５  シャッタ−
【手続補正３】
【補正対象書類名】図面
【補正対象項目名】全図
【補正方法】変更
【補正の内容】
【図１】
0003103244.tif 000008
【図２】
0003103244.tif 000009